(57)【要約】【課題】表示装置において、簡素な構成で熱だまりを除去する。【解決手段】表示装置１は、磁力によって回動することで異なる表示面を表示する回動部材１１ａを有する複数の表示素子１１と、複数の表示素子１０の前方に配置された透光性を有する正面パネル１２と、を備え、複数の表示素子１１の回動部材１１ａは、複数の表示素子１１と正面パネル１２との間の空間Ｓ１に気流（矢印Ａ）を生じさせるように互いに同時に又は順次回動する。【選択図】図４Ａ
2015031845.tif 000002
【特許請求の範囲】
【請求項１】
磁力によって回動することで異なる表示面を表示する回動部材を有する複数の表示素子と、
前記複数の表示素子の前方に配置された透光性を有する正面パネルと、
を備え、
前記複数の表示素子の前記回動部材は、前記複数の表示素子と前記正面パネルとの間の空間に気流を生じさせるように互いに同時に又は順次回動する、
ことを特徴とする表示装置。
【請求項２】
前記空間の温度を検知する温度センサと、
前記温度センサにより検知された温度が所定の温度に到達しているときに前記気流を生じさせるように前記回動部材を回動させる制御部と、
を更に備えることを特徴とする請求項１記載の表示装置。
【請求項３】
前記回動部材は、板状を呈する、
ことを特徴とする請求項１又は２記載の表示装置。
【請求項４】
前記表示面は、第１の表示面と、該第１の表示面とは異なる第２の表示面とを含み、
前記回動部材は、前記気流を生じさせるように、前記第１の表示面を表示する位置と前記第２の表示面を表示する位置との間を１回以上往復移動するように回動する、
ことを特徴とする請求項１から請求項３のいずれか１項記載の表示装置。
【請求項５】
前記複数の表示素子の前記回動部材は、第１の方向及び該第１の方向に交差する第２の方向に配列され、前記第１の方向に配列された前記回動部材が同時に回動するとともに、前記第２の方向に順次回動する、
ことを特徴とする請求項１から請求項４のいずれか１項記載の表示装置。
【請求項６】
太陽光を受光する発電用受光部材を更に備え、
前記回動部材は、前記発電用受光部材により発電された電力を用いて得られる磁力によって回動する、
ことを特徴とする請求項１から請求項５のいずれか１項記載の表示装置。
【発明の詳細な説明】
【技術分野】
【０００１】
本発明は、各表示素子が磁力によって回動する回動部材を有する表示装置に関する。
【背景技術】
【０００２】
従来、球技場における試合情報の表示などに、磁気反転式の表示装置が用いられている。磁気反転式の表示装置における各表示素子には、磁力によって回動することで異なる表示面を表示する回動部材が配置されている。なお、このような磁気反転式の表示装置において、太陽光を利用する装置が知られている（例えば、特許文献１参照）。
【０００３】
回動部材としては、樹脂製の羽に磁石が付いたものなどが用いられている。回動部材は、コイルに電気を流す方向により正転・反転させて黒・黄などの色を表示させるものがある。回動部材としては、球状や立方体形状のものなども知られている。
【０００４】
表示装置は、屋外品が多く、表示面への太陽光エネルギー受熱が高い方位（東西南北）に向くように設置されることもある。その場合、表示面には、遮熱カバー等の対策が施せず表示素子へ直射光が当たる。表示素子は機構上、防水構造ではないため、前面に正面パネル（ガラスまたは透明樹脂）が配置されている。
【０００５】
正面パネルには、無反射防止処理があるため、正面パネルと表示素子との間の距離を大きくすると、情報表示される文字等の輪郭が不明瞭になる。そのため、表示素子は、反転するスペースを残して、正面パネルに極力近づけることが多い。正面パネルと表示素子との間は狭い空間となり、太陽光による熱だまり（例えば８０℃に達することがある）が発生する。その熱だまりにより表示素子等の寿命に影響が発生する。
【０００６】
そのため、表示装置の内部温度を制御するため、ファン、ブロワ、エアコン、水冷装置などの専用備品が用いられている。
【０００７】
例えば、磁気反転式ではない表示装置ではあるが、換気のために換気手段を備える表示装置（例えば、特許文献２参照）や、筐体内の気圧を外の気圧よりも高くするために換気扇を備える表示装置（例えば、特許文献３参照）が知られている。
【先行技術文献】
【特許文献】
【０００８】
【特許文献１】特開平１１−３３１５８号公報
【特許文献２】特開平７−２８７５３４号公報
【特許文献３】特開２０００−１６３０１１号公報
【発明の概要】
【発明が解決しようとする課題】
【０００９】
上述のファン、ブロワ、エアコン、水冷装置などの専用備品は、適宜用いることで上記の熱だまりを除去することができるが、これらの専用備品が必須の構造となる。
【００１０】
本発明は、このような点に鑑みてなされたものであり、簡素な構成で熱だまりを除去することができる表示装置を提供することを目的とする。
【課題を解決するための手段】
【００１１】
開示の表示装置は、磁力によって回動することで異なる表示面を表示する回動部材を有する複数の表示素子と、前記複数の表示素子の前方に配置された透光性を有する正面パネルと、を備え、前記複数の表示素子の前記回動部材は、前記複数の表示素子と前記正面パネルとの間の空間に気流を生じさせるように互いに同時に又は順次回動する。
【発明の効果】
【００１２】
開示の表示装置によれば、簡素な構成で熱だまりを除去することができる。
【図面の簡単な説明】
【００１３】
【図１】実施の形態に係る表示装置を示す正面図である。
【図２】実施の形態における表示ユニットを示す正面図である。
【図３】実施の形態における表示ユニットの一部を示す斜視図である。
【図４Ａ】図２のIV−IV断面図（ファン無し）である。
【図４Ｂ】図２のIV−IV断面図（ファン有り）である。
【図５】実施の形態における反転制御を説明するためのフローチャートである。
【発明を実施するための形態】
【００１４】
以下、実施の形態に係る表示装置について、図面を参照しながら説明する。
図１は、実施の形態に係る表示装置１を示す正面図である。
【００１５】
図２は、実施の形態における表示ユニット１０を示す正面図である。
図３は、実施の形態における表示ユニットの一部（複数の表示素子１１）を示す斜視図である。
【００１６】
図４Ａ及び図４Ｂは、図２のIV−IV断面図である。
図１に示す表示装置１は、表示ボード本体２と、発電用受光部材３と、表示ユニット１０と、を備える。
【００１７】
表示ボード本体２の上部には、複数の発電用受光部材３が配置されている。発電用受光部材３は、太陽光を受光する。発電用受光部材３により発電された電力は、磁力を得るのに用いられる。この磁力は、後述する回動部材１１ａを回動させるのに用いられる。
【００１８】
表示ボード本体２には、複数の表示ユニット１０が配置されている。表示ユニット１０の用途の一例としては、スコア表示（数字の表示）、チーム名表示（文字の表示）、選手や審判の名前表示（文字の表示）などが挙げられる。
【００１９】
図２に示すように、表示ユニット１０は、複数の表示素子１１と、正面パネル１２と、筐体１３と、放熱用スリット１４と、中央処理装置１５と、図４Ａ及び図４Ｂに示す温度センサ１６と、を備える。
【００２０】
図２に示す表示ユニット１０は、図３に示す６４個（８行×８列）の表示素子１１からなる組立体を４つ組み合わせたものを有する。図２及び図３に示すように、表示素子１１（回動部材１１ａ）は、例えば水平方向である第１の方向（矢印Ｄ１）及びこの第１の方向に交差する例えば鉛直上方向である第２の方向（矢印Ｄ２）に配列されている。
【００２１】
表示ユニット１０は、１つ又は複数の数字や文字などの情報（図２の例では数字の８）を表示する。但し、表示装置１としては、図１に示すように複数の表示ユニット１０を備えるものであってもよいが、表示ユニットの区別がないもの、例えば、複数の表示素子１１によって表示装置１全体として１つの画像を表示するものなどであってもよい。
【００２２】
図３に示すように、表示素子１１は、回動部材１１ａと、磁石１１ｂと、回動軸１１ｃと、ベース部１１ｄと、を有する。
【００２３】
例えば、回動部材１１ａは、矩形の板状（或いは羽状）を呈し、回動軸１１ｃによって１８０度回動可能（矢印Ｒ）に１辺を支持されている。なお、回動部材１１ａは、表示面の中央を回動軸１１ｃによって支持されることで、形状によっては異なる範囲で回動することもできる。あくまで一例であるが、回動部材１１ａの縦横のサイズは、３０ｍｍ×１８ｍｍである。
【００２４】
回動部材１１ａは、磁力によって回動することで異なる表示面、例えば、非表示状態である黒色の第１の表示面１１ａ−１と、表示状態である黄色の第２の表示面１１ａ−２とを表示する。
【００２５】
例えば、磁石１１ｂは、発電用受光部材３により発電された電力を図示しない鉄心に巻きつけられたコイルに流される方向に応じて回動する。これにより、磁石１１ｂと一体の回動軸１１ｃも回動し、ひいては回動部材１１ａが回動する。
【００２６】
ベース部１１ｄは、例えば左右に隣接する２つの表示素子１１に共通して１つ設けられている。ベース部１１ｄには、回動部材１１ａが非表示状態であるときに露出する例えば黒色の第１の表示面１１ｄ−１と、回動部材１１ａが表示状態であるときに露出する例えば黄色の第２の表示面１１ｄ−２とが形成されている。
【００２７】
ベース部１１ｄの第１の表示面１１ｄ−１は、回動部材１１ａが第２の表示面を表示するときには、回動部材１１ａにより覆われる。また、ベース部１１ｄの第２の表示面１１ｄ−２は、回動部材１１ａが第１の表示面を表示するときには、回動部材１１ａにより覆われる。
【００２８】
図４Ａ及び図４Ｂに示すように、正面パネル１２は、複数の表示素子１１の前方（すなわち正面側）に空間Ｓ１を隔てて配置されている。正面パネル１２は、透光性を有する。例えば、正面パネル１２の材料は、ガラスや透明樹脂である。なお、透光性は、入射する光の少なくとも一部が透過する状態をいうものとする。
【００２９】
図２に示す筐体１３の内部には、複数の表示素子１１が配置されている。筐体１３は、表示ユニット１０の正面において開口する。この開口部分に正面パネル１２が配置される。筐体１３は、間接的又は直接的に、正面パネル１２及び複数の表示素子１１を支持する。
【００３０】
放熱用スリット１４は、複数の表示素子１１と正面パネル１２との間の空間Ｓ１に生じる熱だまりを、筐体１３内の他の空間Ｓ２に放熱するためのスリットである。つまり、放熱用スリット１４は、空間Ｓ１と他の空間Ｓ２との間における気流（矢印Ａ）の流路となる。
【００３１】
中央処理装置１５は、回動部材１１ａを回動させる制御部の一例として機能する。中央処理装置１５は、各表示素子１１に流す電流の向きを制御することで、各表示素子１１の回動部材１１ａの回動状態を個別に制御する。中央処理装置１５は、表示ユニット１０ごとに設けられていても、表示装置１全体で共通して設けられていてもよい。
【００３２】
図４Ａ及び図４Ｂに示す温度センサ１６は、複数の表示素子１１と正面パネル１２との間の空間Ｓ１の温度を検知する。図４Ａ及び図４Ｂの例では、温度センサ１６は、空間Ｓ１内の上部に位置する。
【００３３】
図４Ｂに二点鎖線で示すファン１７は、他の空間Ｓ２に配置されているが、空間Ｓ１に上記の気流（矢印Ａ）を生じさせることができる。しかしながら、後述するように回動部材１１ａによって気流（矢印Ａ）を生じさせることができるため、ファン１７は図４Ａに示すように省略してもよい。
【００３４】
図５は、実施の形態における反転制御を説明するためのフローチャートである。
まず、図４Ａ及び図４Ｂに示すように、複数の表示素子１１と正面パネル１２との間の空間Ｓ１の温度が温度センサ１６により検知され、例えば中央処理装置１５により取得される（ステップＳ１）。
【００３５】
取得された温度が第１の温度（例えば６０℃）以上である場合（ステップＳ２がＹＥＳ）、中央処理装置１５は、回動部材１１ａを回動させることにより表示面を反転させる（ステップＳ３）。このように、中央処理装置１５は、温度センサ１６により検知された温度が所定の温度に到達しているときに回動部材１１ａを回動させる。
【００３６】
具体的には、中央処理装置１５は、複数の表示素子１１と正面パネル１２との間の空間Ｓ１に気流を生じさせるように複数の表示素子１１の回動部材１１ａを互いに同時に又は順次回動させる。
【００３７】
なお、回動部材１１ａが順次回動する場合には、回動部材１１ａの回動動作の開始が順次行われていく場合を意味し、最初に回動を開始した回動部材１１ａは、最後に回動を開始する回動部材１１ａの回動時に停止していてもよいし、回動していてもよい。
【００３８】
回動部材１１ａは、気流を生じさせるように、非表示状態である第１の表示面１１ａ−１を表示する位置と、表示状態である第２の表示面１１ａ−２を表示する位置との間を、望ましくは１回以上、より望ましくは５回以上（或いは５〜１０回）往復移動するように回動するとよい。
【００３９】
また、図３に示すように、例えば水平方向である第１の方向（矢印Ｄ１）に配列された回動部材１１ａが同時に回動するとともに、例えば鉛直上方向である第２の方向（矢印Ｄ２）に順次回動するとよい。つまり、図３の例では、最下行において水平方向である第１の方向（矢印Ｄ１）に配列された回動部材１１ａが同時に回動し、次に、下から２行目において第１の方向（矢印Ｄ１）に配列された回動部材１１ａが同時に回動するという動作が繰り返される。
【００４０】
なお、第１の方向（矢印Ｄ１）及びこの第１の方向に交差する第２の方向（矢印Ｄ２）は特に制限されないが、第２の方向（矢印Ｄ２）が、回動軸１１ｃに直交する例えば水平方向である場合には、回動部材１１ａの回動により生じる気流の方向に上記の気流（矢印Ａ）を生じさせることができる。また、第２の方向（矢印Ｄ２）が鉛直上方向である場合には、熱が流れやすい方向である鉛直上方向に気流（矢印Ａ）を生じさせることができる。
【００４１】
複数の表示素子１１の回動部材１１ａを同時に回動させる場合には、任意のタイミングとすればよい。例えば、回動部材１１ａが同時に回動する場合、表示装置１が使用中であっても表示画面の切り替え時などの区切りに短い時間で熱だまりを除去することができる。
【００４２】
上記の取得された温度が第１の温度（例えば６０℃）以上でない場合（ステップＳ２がＮＯ）、再度ステップＳ１の処理に戻る。
【００４３】
反転動作（ステップＳ３）の後には、中央処理装置１５は、再度、複数の表示素子１１と正面パネル１２との間の空間Ｓ１の温度を取得する（ステップＳ４）。
【００４４】
取得された温度が、第１の温度より低い第２の温度（例えば５５℃）以下である場合（ステップＳ５がＹＥＳ）、処理は終了となり、中央処理装置１５は、再度、最初の空間温度の取得（ステップＳ１）から処理を行う。
【００４５】
一方、上記の取得された温度が第２の温度（例えば５５℃）以下でない場合（ステップＳ５がＮＯ）、中央処理装置１５は、再度、回動部材１１ａの反転制御（ステップＳ３）を行う。
【００４６】
以上説明した本実施の形態では、表示素子１１は、磁力によって回動することで異なる表示面（１１ａ−１，１１ａ−２）を表示する回動部材１１ａを有する。正面パネル１２は、複数の表示素子１１の前方に配置され、透光性を有する。そして、複数の表示素子１１の回動部材１１ａが、複数の表示素子１１と正面パネル１２との間の空間Ｓ１に気流（矢印Ａ）を生じさせるように互いに同時に又は順次回動する。
【００４７】
そのため、本実施の形態では、ファン、ブロワ、エアコン、水冷装置などの専用備品を用いなくとも空間Ｓ１の熱だまりを除去することができる。よって、本実施の形態によれば、簡素な構成で熱だまりを除去することができる。
【００４８】
なお、図４Ｂに示すようにファン１７を配置した表示装置１においても、例えば表示装置１の使用時におけるファン１７による熱だまりの除去と、例えば表示装置１の非使用時における回動部材１１ａによる熱だまりの除去とを選択的に行うことができるため、ファン１７を用いた装置においても本実施の形態は有効である。
【００４９】
また、本実施の形態では、温度センサ１６は、複数の表示素子１１と正面パネル１２との間の空間Ｓ１の温度を検知する。また、制御部の一例である中央処理装置１５は、温度センサ１６により検知された温度が所定の温度に到達しているとき（図５のステップＳ２がＹＥＳ）に、気流（矢印Ａ）を生じさせるように回動部材１１ａを回動させる。そのため、確実に熱だまりを除去することができる。
【００５０】
また、本実施の形態では、回動部材１１ａが板状を呈する。そのため、複数の表示素子１１と正面パネル１２との間の空間Ｓ１における気流（矢印Ａ）を確実に生じさせることができる。したがって、確実に熱だまりを除去することができる。
【００５１】
また、本実施の形態では、回動部材１１ａが表示する表示面は、第１の表示面１１ａ−１と、この第１の表示面とは異なる第２の表示面１１ａ−２とを含む。また、回動部材１１ａは、気流（矢印Ａ）を生じさせるように、第１の表示面１１ａ−１を表示する位置と第２の表示面１１ａ−２を表示する位置との間を１回以上往復移動するように回動する。そのため、複数の表示素子１１と正面パネル１２との間の空間Ｓ１における気流（矢印Ａ）を確実に生じさせることができる。したがって、確実に熱だまりを除去することができる。
【００５２】
また、本実施の形態では、複数の表示素子１１の回動部材１１ａは、第１の方向（矢印Ｄ１）及びこの第１の方向に交差する第２の方向（矢印Ｄ２）に配列され、第１の方向（矢印Ｄ１）に配列された回動部材１１ａが同時に回動するとともに、第２の方向（矢印Ｄ２）に順次回動する。そのため、複数の表示素子１１と正面パネル１２との間の空間Ｓ１における気流（矢印Ａ）を確実に生じさせることができる。したがって、確実に熱だまりを除去することができる。
【００５３】
また、本実施の形態では、発電用受光部材３は、太陽光を受光する。回動部材１１ａは、発電用受光部材３により発電された電力を用いて得られる磁力によって回動する。そのため、表示装置１の省電力化を図ることができる。また、表示装置１は、表示装置１の外部から電力が供給されていない状態（例えば、表示装置１を使用していない状態）においても、発電された電力を用いて回動部材１１ａを回動させることができる。したがって、確実に熱だまりを除去することができる。
【００５４】
なお、本実施の形態では、回動部材１１ａは、気流（矢印Ａ）を生じさせる観点では板状を呈することが望ましいが、立方体形状、直方体形状、曲面を有する形状などの他の形状を呈していてもよい。例えば、回動部材１１ａが立方体形状や直方体形状を呈する場合には、表示素子１１に、第１の表示面及び第２の表示面とは異なる他の表示面を更に設けてもよい。
【００５５】
また、本実施の形態では、発電用受光部材３により発電された電力を用いて得られる磁力によって回動部材１１ａが回動するが、発電用受光部材３によって得られた電力を表示装置１の他の部品（例えば中央処理装置１５）に用いてもよい。
【００５６】
また、中央処理装置１５は、回動部材１１ａの制御の観点では、温度センサ１６により検知された温度が所定の温度に到達しているとき回動部材１１ａを回動させることが望ましいが、更に所定の時間周期で回動部材１１ａを回動させても良い。
【００５７】
また、回動部材１１ａは、省電力の観点では、発電用受光部材３により発電された電力を用いて得られる磁力によって回動することが望ましいが、発電用受光部材３を省略してもよい。
【符号の説明】
【００５８】
１      表示装置
２      表示ボード本体
３      発電用受光部材
１０      表示ユニット
１１      表示素子
１１ａ      回動部材
１１ｂ      磁石
１１ｃ      回動軸
１１ｄ      ベース部
１２      正面パネル
１３      筐体
１４      放熱用スリット
１５      中央処理装置
１６      温度センサ
１７      ファン
Ｓ１，Ｓ２      空間
【図５】
2015031845.tif 000003
【図１】
2015031845.tif 000004
【図２】
2015031845.tif 000005
【図３】
2015031845.tif 000006
【図４Ａ】
2015031845.tif 000007
【図４Ｂ】
2015031845.tif 000008